(57)【要約】【課題】ロータの正転時および逆転時のいずれにおいても、魚の急激な引き込みに対して釣糸を迅速且つ滑らかに繰り出すことができ、様々な状況に柔軟に対応できる魚釣用スピニングリールの提供を目的としている。【解決手段】本発明は、リール本体１ａに対して常に正逆回転可能に支持されたロータ８と、ロータ８の正回転によって釣糸が巻回されるスプール１０とを備えた魚釣用スピニングリール１において、ロータ８の釣糸繰り出し方向の逆回転に制動力を付与するロータ制動装置と、スプール１０の回転に制動力を付与するスプール制動装置６０と、前記ロータ制動装置およびスプール制動装置６０の制動力を調節して保持する制動力調整体６０Ｂ，８５とを備えていることを特徴とする。【選択図】　　図１
2004097152.tif 000002
【特許請求の範囲】
【請求項１】
リール本体に対して常に正逆回転可能に支持されたロータと、前記ロータの正回転によって釣糸が巻回されるスプールとを備えた魚釣用スピニングリールにおいて、
前記ロータの釣糸繰り出し方向の逆回転に制動力を付与するロータ制動装置と、前記スプールの回転に制動力を付与するスプール制動装置とを備え、前記ロータ制動装置および前記スプール制動装置の制動力を調節して保持することができることを特徴とする魚釣用スピニングリール。
【請求項２】
リール本体のフレームに変位可能に設けられ且つその変位動作によって前記ロータ制動装置の制動力を変化させる作動体と、リール本体のフレームに回転自在に設けられ且つその回転動作によって前記作動体を変位させる制動力調節体とによって、前記ロータ制動装置の制動力が調節されることを特徴とする請求項１に記載の魚釣用スピニングリール。
【請求項３】
前記作動体は、リール本体の脚部に形成された凹部内に収容されていることを特徴とする請求項２に記載の魚釣用スピニングリール。
【発明の詳細な説明】
【０００１】
【発明の属する技術分野】
本発明は魚釣用スピニングリールに関する。
【０００２】
【従来の技術】
一般に、魚釣用スピニングリールには、ロータの釣糸繰り出し方向への回転（逆回転）を防止する逆転防止装置が設けられている。この逆転防止装置は、切換機構の操作によって、作動状態（ロータ逆転防止状態；ＯＮ）と非作動状態（ロータ逆転可能状態；ＯＦＦ）とに切換えられる。
【０００３】
また、一般に、魚釣用スピニングリールには、スプールに制動力を付与しながらスプールの釣糸繰り出し方向への回転を許容するドラグ機構が設けられている。このようなドラグ機構によれば、前記逆転防止装置によってロータの逆転が防止されている状態でも、ドラグを調整することによってスプールの回転力を調整すれば、魚の急激な引き込みに対応することができる。すなわち、ドラグを利かせて、釣糸にかかる力をスプールの回転によって逃がし、釣糸をスプールから滑り出させることにより、ハリス切れや身切れによる魚のバレを防止できる。
【０００４】
ところで、魚釣用スピニングリールの中には、ロータを逆転可能状態に設定して、掛かった魚を走らせながら釣る場合があるが、この場合、掛かった魚が沖や根に向かって走ると、ハンドルやロータが高速で逆回転するため、直ちに巻き取り動作に移行することができず、また、走った魚が急に停止すると、ロータがオーバーランして、バックラッシュ現象（糸ふけ）等が生じる虞がある。そのため、このようなスピニングリールでは、ロータの逆回転に制動力を付与する制動機構が設けられている。例えば、特開平９−１４０３０３号公報に開示された魚釣用スピニングリールは、前記逆転防止装置および前記ドラグ機構を装備していないため、前記制動機構として、ロータの逆回転動作に連動して回転する制動板と、リール本体の脚部に設けられ且つ制動板に制動力を付与する（ロータの逆回転に制動力を付与する）操作レバーと、操作レバーによって制動板に制動力が付与された状態を保持する保持レバー（切換部材）とを備えている。
【０００５】
【発明が解決しようとする課題】
しかしながら、特開平９−１４０３０３号公報に開示された魚釣用スピニングリールでは、前記保持レバーによって、ロータと一体回転する制動体に常に一定の制動力が付与し続けられるだけであり、その制動力を調節することができない（ロータの回転力を制御するドラグ機構ではない）。しかも、スプールに制動力を付与しながらスプールの釣糸繰り出し方向への回転を許容するドラグ機構も装備していないため、ハンドル巻取操作時（釣糸巻取時）には直結状態になってしまい、魚の咄嗟のファイトに対応できず、ハリス切れや身切れによって魚をバラしてしまう虞がある。
【０００６】
また、特開平９−１４０３０３号公報に開示された魚釣用スピニングリールでは、リール本体の脚部から長く延びる操作レバーが設けられているため、この操作レバーがルアーなどのキャスティング操作時に邪魔になる。
【０００７】
本発明は前記事情に着目してなされたものであり、その目的とするところは、ロータの正転時および逆転時のいずれにおいても、魚の急激な引き込みに対して釣糸を迅速且つ滑らかに繰り出すことができ、様々な状況に柔軟に対応できる魚釣用スピニングリールを提供することにある。
【０００８】
【課題を解決するための手段】
前記課題を解決するために、本発明は、リール本体に対して常に正逆回転可能に支持されたロータと、前記ロータの正回転によって釣糸が巻回されるスプールとを備えた魚釣用スピニングリールにおいて、前記ロータの釣糸繰り出し方向の逆回転に制動力を付与するロータ制動装置と、前記スプールの回転に制動力を付与するスプール制動装置とを備え、前記ロータ制動装置および前記スプール制動装置の制動力を調節して保持することができることを特徴とする。
【０００９】
【発明の実施の形態】
以下、図面を参照しつつ本発明の一実施形態について説明する。
【００１０】
図１および図２は本発明の第１の実施形態を示している。図示のように、本実施形態の魚釣用スピニングリール１は、フレーム１ｆによって外枠が形成されたリール本体１ａを備えている。リール本体１ａのフレーム１ｆには脚部１ｂが延出形成されるとともに、脚部１ｂの端部には図示しない釣竿に取り付けられる竿取付部１ｃが形成されている。また、リール本体１ａ内にはハンドル軸２が回転可能に支持されており、リール本体１ａから突出するハンドル軸２の端部には図示しないハンドルが固定されている。
【００１１】
ハンドル軸２にはドライブギア３が取り付けられており、このドライブギア３には、ハンドル軸２に対して直交する方向に延在し且つ軸受け１１を介して回転可能に支持されたピニオンギア１３が噛合している。このピニオンギア１３の先端部には、ベール６および釣糸案内装置１５を備えたロータ８が一体的に取り付けられている。この場合、ロータ８は、常に正逆両方向の回転が可能となるように支持されている。すなわち、本実施形態の魚釣用スピニングリール１においては、ロータ８の逆回転を防止する逆転防止機構が設けられていない。
【００１２】
また、ピニオンギア１３の内部には、ハンドル軸２と直交する方向に摺動可能に支持されたスプール軸９が挿通されており、スプール軸９の先端部には釣糸が巻回されるスプール１０が取り付け固定されている。
【００１３】
また、本実施形態のスピニングリール１には、スプール１０に制動力を付与しながらスプール１０の釣糸繰り出し方向への回転を許容する（スプール１０の回転力を制御する）フロントドラグ方式のスプールドラグ機構（スプール制動装置）６０が設けられている。このスプールドラグ機構６０は、スプール軸９に対して回転不能に取り付けられた圧接部材６０Ａと、スプール軸９に螺合されるドラグ調整ツマミ６０Ｂと、圧接部材６０Ａとの間でスプール１０を挟み込む複数の摩擦板６０Ｃと、摩擦板６０Ｃとドラグ調整ツマミ６０Ｂとの間に介挿された圧縮バネ６０Ｄとを備えている。
【００１４】
このようなフロント方式のスプールドラグ機構６０では、バネ６０Ｄの付勢力に抗してドラグ調整ツマミ６０Ｂが締込み操作される（ドラグ調整ツマミ６０Ｂがスプール軸９に捩じ込まれる）と、その締込み力に応じた押圧力で、スプール１０が摩擦板６０Ｃにより圧接部材６０Ａに対して圧接され、スプール軸９に対するスプール１０の回転が規制される。また、ドラグ調整ツマミ６０Ｂが緩められると、その緩め具合に応じて、スプール軸９に対するスプール１０の回転が許容される。
【００１５】
また、ドライブギア３には、オシレーティング機構１９が係合している。このオシレーティング機構１９は、ピニンギア１３と噛み合って回転するウォームシャフト１９ａと、ウォームシャフト１９ａの溝と噛み合い且つスプール軸９に対してその軸方向に移動不能に取り付けられたスライダ１９ｂとからなり、ハンドル軸２が前記ハンドルの回転操作によって回転されると、スプール軸９を軸方向に沿って往復駆動する。
【００１６】
したがって、このような構成では、前記ハンドルを回転操作してハンドル軸２を回転させると、オシレーティング機構１９を介してスプール軸９に取り付けられたスプール１０が前後に往復動するとともに、ドライブギア３およびピニオンギア１３を介してロータ８が回転駆動する。したがって、スプール１０には、釣糸案内装置１５を介して、釣糸が均等に巻回される。
【００１７】
また、リール本体１ａには、ロータ８の逆回転に制動力を付与するロータドラグ機構（ロータ制動装置）が設けられている。このロータドラグ機構は、支軸７を介して脚部１ｂの溝（凹部）９０内に回動可能に取り付けられた作動体５によって作動される。この場合、作動体５は、支軸７からリール本体１ａの内部へと延びている。支軸７の近傍に位置する作動体５の一端部には、後述する制動力調節体８５の当接部８５ｃが当接する当接面５ａが形成されている。また、リール本体１ａ内に位置する作動体５の他端部には、ビス１２を介して押圧プレート１４が取り付けられている。押圧プレート１４の端部には、後述するブレーキシュー１７を押圧する押圧部１４ａが形成されている。
【００１８】
なお、押圧プレート１４とリール本体１ａとの間には、作動体５を制動力調節体８５の当接部８５ｃに当接させる方向に常時付勢する引張りバネ１６が設けられている。
また、前記ロータドラグ機構は、一方向クラッチ２０を介してピニオンギア１３に取り付けられたブレーキロータ（回転体）３１と、このブレーキロータ３１の表面に取り付け固定されたリング状の制動体３３とを備えている。
【００１９】
リール本体１ａのフレーム１ｆには、制動体３３を跨ぐように配された圧接片３５が支持されている。また、フレーム１ｆには、制動体３３と圧接可能な方向に摺動する例えば木製のブレーキシュー１７が移動可能に保持されている。
【００２０】
図２に拡大して示されるように、一方向クラッチ２０は、ピニオンギア１３に対して回り止め嵌合された内輪２１と、内輪２１の外側に配された保持器２７と、保持器２７の外側に配された外輪２５とを有している。保持器２７は複数の転動部材Ｒを保持しており、各転動部材Ｒは保持器２７に設けられたバネ部材によって楔作用する一方向に付勢されている。また、外輪２５の内周面には、各転動部材がフリーに回転できるフリー回転領域と、各転動部材の回転を阻止する楔領域とが形成されている。このような構成の一方向クラッチ２０は、ピニオンギア１３とともに内輪２１が正回転する（ロータ８が糸巻き取り方向に回転する）と、保持器２７の転動部材Ｒが外輪２５のフリー回転領域に位置され、内輪の２１の回転力が外輪２５に伝達されない。しかし、ピニオンギア１３とともに内輪２１が逆回転する（ロータ８が糸繰り出し方向に回転する）と、保持器２７の転動部材Ｒが外輪２５の楔領域に位置され、内輪２１の回転力が外輪２５に伝達される。
【００２１】
外輪２５の外周には保持体２９が圧入嵌合されている。また、保持体２９の外周にはブレーキロータ３１が回転不能に嵌合されている。具体的には、保持体２９の外周面には、保持体２９の周方向に沿って互いに所定の間隔で配置された複数の径方向突出部２９ａ…が形成されており、突出部２９ａ，２９ａ間には、ブレーキロータ３１からスプール軸９の軸方向に沿って延出する複数の延出部３１ａのそれぞれが嵌合している。すなわち、ブレーキロータ３１は、突出部２９ａと延出部３１ａとの噛み合いによって保持体２９に対して回転不能に嵌合されるとともに、保持体２９に対して軸方向にのみ移動できるようになっている。
【００２２】
なお、ブレーキロータ３１は、作動体５からブレーキシュー１７を介して作用する押圧力が解除されると、図示しないバネの付勢力により保持体２９に沿って軸方向に移動され、図１に示される初期位置に戻されるようになっている。
【００２３】
一方向クラッチ２０を介したピニオンギア１３とブレーキロータ３１との以上のような連結構造によれば、ブレーキロータ３１と保持体２９は、ピニオンギア１３が逆回転した時にのみ、一方向クラッチ２０を介してピニオンギア１３（したがってロータ８）と直結され、ロータ８と一体に回転する。
【００２４】
ブレーキロータ３１の裏面の周縁部には、周方向に互いに所定の間隔で配置された複数（例えば８個）の係合突部４０が突出形成されている。各係合突部４０には、ロータ８が逆回転した時に後述する係合爪４３ａを係合突部４０間の隙間に案内するテーパ面と、係合突部４０間の隙間に位置した係合爪４３ａと当接するストッパ面とが形成されている。
【００２５】
一方、ロータ８には、回動部材４３がピン４２を介してブレーキロータ３１側に向けて回動自在に支持されている。回動部材４３の一端には、係合突部４０間の隙間に係合可能な係合爪４３ａが屈曲形成されている。また、ロータ８には、ブレーキロータ３１側に向けて、回動部材４３の各方向への回動を規制する２つのボスが突出形成されている。また、回動部材４３にはＵ字状に切り込まれた溝が形成されており、この溝には、保持体２９に抱き付くように巻回保持されたリーフスプリング４５の端部が固定されている。
【００２６】
また、リール１の脚部１ｂには、溝９０内に貫通するネジ穴９８が形成されており、このネジ穴９８には、制動力調節体８５の軸部８５ａが螺合されている。また、ネジ穴９８から外部に突出する制動力調節体８５の軸部８５ａの一端部には、操作ツマミ８５ｂが形成されており、また、溝９０内に突出する軸部８５ａの他端部には、作動体５の当接面５ａに当接する当接部８５ｃが形成されている。
【００２７】
次に、前記構成のスピニングリール１の動作について説明する。
【００２８】
まず、予め、制動力調節体８５をネジ穴９８に所定量捩じ込んで、作動体５を前方に押出し（回動させ）、ブレーキシュー１７と圧接片３５との間で制動体３３を挟圧しておく（この場合、ブレーキロータ３１はブレーキシュー１７による押圧力によって保持体２９に沿って軸方向に移動する）。この時、スプールドラグ機構６０によるドラグ力よりもロータドラグ機構のドラグ力（ブレーキシュー１７と圧接片３５との間で制動体３３を挟圧することによって生じる制動力）を小さく設定しておく。
【００２９】
このような状態で、ハンドルを介してピニオンギア１３を正回転させると、ピニオンギア１３に取り付けられたロータ８も一体で正回転する（糸巻き取り方向に回転する）。しかしながら、この時、ブレーキロータ３１は、一方向クラッチ２０の前記連結作用により回転しない。また、ロータ８に支持されこれとともに正回転する回動部材４３は、リーフスプリング４５の作用によって逆回転方向に力を受け、ピン４２を中心に回動してその一端部がロータ８の前記ボスに当て付いて、係合爪４３ａがブレーキロータ３１の係合突部４０から離間するように内側に退避される。したがって、回動部材４３は、ブレーキロータ３１に何等規制されることなく、ロータ８とともに自由に正回転する。したがって、制動力調節体８５がネジ穴９８に所定量捩じ込まれて作動体５が前方に押し出され（回動され）、これによって、ブレーキシュー１７と圧接片３５との間で制動体３３が挟圧されていたとしても、ロータ８には制動力が全く作用しない。
【００３０】
また、このように、ロータ８を正回転させている状態で、フロントドラグ６０側で設定されたドラグ力を越える力（例えば魚の引き込み）が働くと、スプール１０が回転し、釣糸が繰り出される（スプールドラグが作用する）。
【００３１】
一方、ハンドルを介してピニオンギア１３を逆回転させると、ピニオンギア１３に取り付けられたロータ８も一体で逆回転する（糸繰り出し方向に回転する）。この時、ブレーキロータ３１も一方向クラッチ２０の前記連結作用によりロータ８とともに逆回転する。この時、ブレーキロータ３１の制動体３３は、ブレーキシュー１７と圧接片３５との間で挟圧されることによって制動力を受けているため、ブレーキロータ３１の回転に制動がかかり、ブレーキロータ３１と直結状態で一体に回転するロータ８にも一方向クラッチ２０を介して作動体５の回動量に応じた制動力がタイムラグを生じることなく作用する。この場合、一方向クラッチ２０の外輪２５の楔領域には、ブレーキロータ３１に付与される制動力とロータ８の回転力とが互いに反対方向に作用するが、これらの力が一方向クラッチ２０の許容荷重範囲内であれば、ロータ８とブレーキロータ３１は互いに対して回転しない。つまり、制動時でもロータ８とブレーキロータ３１とが一体に回転する。したがって、ロータ８と一体に回転する回動部材４３の係合爪４３ａはブレーキロータ３１と噛み合わず、ロータ８の回転力は全て一方向クラッチ２０により受けられる。しかし、外輪２５の楔領域に作用する力（ロータ８の回転力およびブレーキロータ３１に作用する制動力）が一方向クラッチ２０の許容荷重を超えると、一方向クラッチ２０が滑り、ブレーキロータ３１に対してロータ８が回転し始める。これにより、ロータ８と一体で逆回転している回動部材４３は、リーフスプリング４５の作用によって正回転方向に力を受け、ピン４２を中心に回動してその一端部がロータ８の前記ボスに当て付いて、係合爪４３ａがブレーキロータ３１の係合突部４０間に突出するようになる。その結果、ロータ８とブレーキロータ３１とが噛み合い、これらが一体となって逆回転する。したがって、その後、ブレーキロータ３１に作用する制動力は、一方向クラッチ２０を介することなく、直接にロータ８に作用し、ロータ８の回転力は全てブレーキロータ３１により受けられる。
【００３２】
また、以上の動作は、ハンドルによらず、魚の引きによってロータ８が逆回転している場合（例えば、掛かった魚を走らせながら釣るために、ハンドルから手を離してロータ８の逆回転を許容している場合）も同様である。ただし、この場合、ロータドラグ機構のドラグ力はスプールドラグ機構６０によるドラグ力よりも小さく設定されているため、スプールドラグが作動する前にロータ８の逆回転に制動がかかる（ロータドラグが作用する）。
【００３３】
以上説明したように、本実施形態の魚釣用スピニングリール１は、リール本体１ａに対してロータ８が常に正逆回転可能であり、ロータドラグ機構の制動力を調節して保持することができる制動力調節体８５と、スプールドラグ機構６０の制動力を調節して保持することができるドラグ調整ツマミ６０Ｂとを備えている。このように、実釣状況に応じて予め設定調整可能なロータドラグ機構とスプールドラグ機構６０とを併用すれば、釣糸巻き取り操作時には、スプールドラグ機構６０によって糸切れを防止でき、釣糸繰り出し操作時には、ハンドルから手を離すだけの簡単な動作で、ロータドラグ機構が機能して、魚の引き込みに対して瞬時に対応することができる。すなわち、釣糸巻き取り操作時と釣糸繰り出し操作時とで作動するドラグが異なるため、簡単且つ迅速にドラグ力の切換えが可能となる。また、釣糸巻取り時のドラグ力と釣糸繰り出し時のドラグ力を独立して調整可能であるため、釣糸を巻き取り時には、しっかりとスプール１０に釣糸を巻き取れるようなドラグ力設定が可能となり、また、釣糸繰り出し時には、魚の引き込みに十分に耐えることができる余裕を持ったドラグ力設定が可能となる。また、設定したドラグ力は、ネジ方式の制動力調節体８５によって保持されるため、ドラグ力を常に一定に保ちつつ（一定のテンションを保ちつつ）、釣糸を繰り出すことができる。なお、本実施形態では、ネジ穴９８のネジピッチを細かくすることにより、ロータドラグ力を細かく調整することができる。
【００３４】
また、本実施形態の魚釣用スピニングリール１では、リール本体１ａのフレーム１ｆに変位可能に設けられ且つその変位動作によってロータドラグ機構の制動力を変化させる作動体５と、リール本体１ａのフレーム１ｆに回転自在に設けられ且つその回転動作によって作動体５を変位させる制動力調節体８５とによって、ロータドラグ機構の制動力が調節される。したがって、リール本体１ａの内部に収容される駆動装置（巻取り機構や往復動機構等）に制約されることなく、ロータドラグ機構の制動力調節体８５を配置することができる。
【００３５】
また、本実施形態の魚釣用スピニングリール１において、作動体５は、リール本体１ａの脚部１ｂに形成された溝（凹部）９０内に収容されている。したがって、リール本体１ａの大型化を招くことなく、ロータドラグ機構の制動力調節体８５を配置することができる。
【００３６】
図３および図４は、本発明の第２の実施形態を示している。なお、本実施形態において、第１の実施形態と共通する構成部分については、以下、同一符号を付してその説明を省略する。
【００３７】
図示のように、本実施形態の魚釣用スピニングリール１Ａにおいて、スプール軸９は、ピニオンギア１３内でハンドル軸２と直交する方向に摺動可能になっているとともに、回転可能に支持されている。また、スプール１０は、フロントドラグを介することなく、スプール軸９に直接に固定されており、スプール軸９と一体で回転できるようになっている。
【００３８】
また、本実施形態のスピニングリール１Ａには、スプール１０に制動力を付与しながらスプール１０の釣糸繰り出し方向への回転を許容する（スプール１０の回転力を制御する）リヤドラグ方式のドラグ機構が設けられている。このドラグ機構は、スプール軸９に取り付けられてリール本体１ａのフレーム１ｆに圧接される略筒状の圧接部材６２と、リール本体１ａの後部に設けられ且つリール本体１ａのフレーム１ｆに螺合されるドラグ調整ツマミ６４と、圧接部材６２とドラグ調整ツマミ６４との間に配設された複数の摩擦板６６と、摩擦板６６とドラグ調整ツマミ６４との間に介挿された圧縮バネ６８とを備えている。この場合、圧接部材６２は、スプール軸９に対して回転不能に取り付けられる（スプール軸９と一体に回転する）とともに、スプール軸９に対してその軸方向に相対的に移動できる。
【００３９】
したがって、このようなドラグ機構では、バネ６８の付勢力に抗してドラグ調整ツマミ６４が締込み操作される（ドラグ調整ツマミ６４がフレーム１ｆに捩じ込まれる）と、その締込み力に応じた押圧力で、圧接部材６２が摩擦板６６によりリール本体１ａのフレーム１ｆに圧接され、スプール軸９の回転が規制される（したがって、スプール軸９と一体で回転するスプール１０の回転が規制される）。また、ドラグ調整ツマミ６４が緩められると、その緩め具合に応じてスプール軸９すなわちスプール１０の回転が許容される。なお、それ以外の構成および動作は、第１の実施形態と同一である。
【００４０】
このように、本実施形態の魚釣用スピニングリール１Ａも、リール本体１ａに対してロータ８が常に正逆回転可能であり、ロータドラグ機構の制動力を調節して保持することができる制動力調節体８５と、リヤドラグ機構としてのスプールドラグ機構の制動力を調節して保持することができるドラグ調整ツマミ６４とを備えている。したがって、釣糸巻き取り操作時には、リヤドラグ機構（スプールドラグ機構）によって糸切れを防止でき、釣糸繰り出し操作時には、ハンドルから手を離すだけの簡単な動作で、ロータドラグ機構が機能して、魚の引き込みに対して瞬時に対応することができる。つまり、第１の実施形態と同様の作用効果を得ることができる。
【００４１】
図５および図６は、本発明の第３の実施形態を示している。なお、本実施形態において、第１および第２の実施形態と共通する構成部分については、以下、同一符号を付してその説明を省略する。
【００４２】
図示のように、本実施形態の魚釣用スピニングリール１Ｂでは、作動体５を回動（変位）させる制動力調節体が、ネジ部材ではなく、回動レバーによって形成されている。具体的には、制動力調節体としての調節レバー１００がリール本体１ａに回動可能に取り付けられており、リール本体１ａの外部に突出する調節レバー１００の一端部には、把持部１００ｂが形成されるとともに、リール本体１ａ内に位置する調節レバー１００の部位には、調節レバー１００の回動軸と同軸で且つ外周に複数の係合溝１１０が形成された歯車１００ａが一体形成されている。また、前記回動軸に対して偏心して形成されている調節レバー１００の他端部（カム作用部）１００ｃは、ビス１２に対して押圧部１４ａと反対側に延びる押圧プレート１４の当接部１４ｂに当接している。また、リール本体１ａ内には、歯車１００ａと対向する位置に、保持体１０４が設けられており、この保持体１０４には、歯車１００ａの係合溝１１０に対して弾性的に係脱する突起１０４ａが形成されている。
【００４３】
したがって、このような構成では、調節レバー１００を上方に回動させると、調節レバー１００と当接する押圧プレート１４を介して作動体５が前方に押出され（回動され）、その押出し量（回動量）に応じた制動力（ロータドラグ力）が発生する。また、その際の制動力は、弾性的に係脱（クリック係合）する係合溝１１０と突起１０４ａとによって保持される。なお、それ以外の構成および動作は、第２の実施形態と同一である。
【００４４】
このように、本実施形態の魚釣用スピニングリール１Ｂも、リール本体１ａに対してロータ８が常に正逆回転可能であり、ロータドラグ機構の制動力を調節して保持することができる調節レバー１００と、リヤドラグ機構としてのスプールドラグ機構の制動力を調節して保持することができるドラグ調整ツマミ６４とを備えている。したがって、釣糸巻き取り操作時には、リヤドラグ機構（スプールドラグ機構）によって糸切れを防止でき、釣糸繰り出し操作時には、ハンドルから手を離すだけの簡単な動作で、ロータドラグ機構が機能して、魚の引き込みに対して瞬時に対応することができる。つまり、第２の実施形態と同様の作用効果を得ることができる。
【００４５】
【発明の効果】
以上説明したように、本発明の魚釣用スピニングリールによれば、ロータの正転時および逆転時のいずれにおいても、魚の急激な引き込みに対して釣糸を迅速且つ滑らかに繰り出すことができ、様々な状況に柔軟に対応できる。
【図面の簡単な説明】
【図１】本発明の第１の実施形態に係るスピニングリールの断面図である。
【図２】図１のスピニングリールの要部拡大断面図である。
【図３】本発明の第２の実施形態に係るスピニングリールの断面図である。
【図４】図３のスピニングリールの要部拡大断面図である。
【図５】本発明の第３の実施形態に係るスピニングリールの断面図である。
【図６】図５のスピニングリールの要部拡大断面図である。
【符号の説明】
１，１Ａ，１Ｂ…スピニングリール
１ａ…リール本体
５…作動体（操作部材）
８…ロータ
１０…スプール
６０…スプールドラグ機構（スプール制動装置）
６０Ｂ，６４…ドラグ調整ツマミ（制動力調節体）
８５…制動力調節体
１００…調節レバー（制動力調節体）
【図１】
2004097152.tif 000003
【図２】
2004097152.tif 000004
【図３】
2004097152.tif 000005
【図４】
2004097152.tif 000006
【図５】
2004097152.tif 000007
【図６】
2004097152.tif 000008